(57)【特許請求の範囲】
【請求項１】
略矩形状の底板（２）と、一対の短側板（４）、（６）と一対の長側板（８）、（１０）とにより、略直方体形状の水槽本体（１２ａ）の上部が開口して形成された飼育用水槽（１２）であって、
前記底板（２）の両側端部にそれぞれアール（Ｒ）を設けるとともに、
前記一方の短側板（６）の上部に、循環されてきた水を外部に排出するための略矩形状の第１の排水口（１４）を設け、かつこの略矩形状の第１の排水口（１４）は、前記短側板（６）の幅方向中央より前記長側板（１０）側に近接して配置されるとともに、この略矩形状の第１の排水口（１４）は格子（１４ａ）などで小さく分割され、かつこの略矩形状の前記長側板（１０）側に位置する下方角部が前記長側板（８）側の下方角部に比べて下方に傾斜して形成されていることを特徴とする飼育用水槽。
【請求項２】
前記短側壁（６）に、前記第１の排水口（１４）よりも目の細かい第２の排水口（１８）を設けたことを特徴とする請求項１に記載の飼育用水槽。
【請求項３】
前記第２の排水口（１８）は、スポンジにより構成されていることを特徴とする請求項２に記載の飼育用水槽。
【請求項４】
前記第２の排水口（１８）は、前記第１の排水口（１４）よりも低い位置に形成されていることを特徴とする請求項２または３に記載の飼育用水槽。
【請求項５】
前記第１の排水口（１４）を設けた短側板（６）と対向する他方の短側板（４）の上方部に、第３の排水口（２０）を設けたことを特徴とする請求項１〜４のいずれかに記載の飼育用水槽。
【請求項６】
請求項１〜請求項５のいずれかに記載の飼育用水槽（１２）を載置した、棚状に構成された装置筐体（３４）の各段に、循環ポンプ（３６）に接続された第１の主給水管（２４）を配管するとともに、この第１の主給水管（２４）から第２の主給水管（２５）を分岐して配管し、さらに、この第２の主給水管（２５）に接続されたノズル（２２）を介して、前記飼育用水槽（１２）内に前記循環ポンプ（３６）から水を給水し、かつこの給水により前記飼育用水槽（１２）からオーバフローした水を、ろ過槽（５０）内に導いて、このろ過槽（５０）でろ過した水を、前記循環ポンプ（３６）により再び供給するようにし
たことを特徴とする魚類等飼育装置。
【請求項７】
前記棚状に構成された装置筐体（３４）の各段に配置された飼育用水槽（１２）内に、ノズル（２２）を介して水を給水するにあたり、
前記ノズル（２２）の吐出側端部（２２ｃ）を、飼育用水槽（１２）の短側板（４）側であって当該短側板（４）の長さ方向略中央の上方に配置したことを特徴とする請求項６に記載の魚類等飼育装置。
【請求項８】
前記ノズル（２２）の前記第２の主給水管（２５）に接続される側の基端側端部（２２ａ）を斜めに切除し、この斜めに切除された開口端面（２２ｂ）を、前記第２の主給水管（２５）内において水の流れ方向下流側に配置したことを特徴とする請求項６または７に記載の魚類等飼育装置。
【請求項９】
前記ノズル（２２）の基端側端部（２２ａ）の内径は、吐出側端部（２２ｃ）の内径に比べて大きく形成されていることを特徴とする請求項６〜８のいずれかに記載の魚類等飼育装置。
【発明の詳細な説明】
【０００１】
【発明の属する技術分野】
本発明は、例えば、ゼブラフィッシュ、あるいはメダカなどの比較的小型の魚類を集合的に飼育するのに好適な飼育用水槽およびこの飼育用水槽を使用した魚類等飼育装置に関する。
【０００２】
【従来の技術】
従来から、ゼブラフィッシュ、メダカなどの比較的小型の魚類を飼育するための水槽は、一般に、上端が開放された透明あるいは半透明の箱状のもので、これに水を張るというものである。
そして、この水槽中の水を酸素富化の状態とするために、水中にポンプにより空気を圧送したり、また、時々水槽中の水を新鮮な水と交換したりしている。
【０００３】
特に、水槽が小さく、しかも飼育する魚が多くいる場合は、水交換を頻繁に行なわなければならない。
この水交換は、所定時間ごとに、古くなった水を排水し、全量を新規な水と交換したり、あるいは古い水と新しい水とを所定の割合で混ぜ合わせて使用するという面倒な作業が必要となっている。
【０００４】
ところで、近年、大学の研究室あるいは生物研究所などでは、多数の飼育用水槽を棚状の装置に集合的に並べて、ゼブラフィッシュなどを多量にかつ一括して飼育する必要が生じている。その場合には、上記のような水槽では、水の交換あるいは清掃作業が、個数が多いために極めて面倒になる。
一方、棚状に並べられた飼育水槽の上部に給水管を配管し、この給水管から自動的に水槽内に水を給水し、この給水により水槽内に残存する餌の食べ残しや糞などを水の流れとともに取り除くとともに、オーバフローした水を回収し、ろ過した後、再使用する飼育装置も知られている。
【０００５】
しかしながら、これまでの飼育装置では、給水管から飼育水槽内に供給された循環水は表面近くを通ってそのままオーバフローしてしまうため、結果として、水が補給された割には、飼育水槽内部の水が新たな水と交換されないという問題もあった。
本発明は、このような実状に鑑み、比較的小さい魚類などを飼育するのに優れ、深い位置からの水の交換が容易であるとともに、糞、餌の食べ残しなどを少ない水の流れにより自動的にかつ効果的に水槽外に排出することができ、さらには水を常に清潔な状態に保持することが可能な飼育用水槽およびこの飼育用水槽を使用した魚類等飼育装置を提供することを目的とする。
【０００６】
【課題を解決するための手段】
上記目的を達成するための本発明に係る飼育用水槽は、
略矩形状の底板２と、一対の短側板４、６と一対の長側板８、１０とにより、略直方体形状の水槽本体１２ａの上部が開口して形成された飼育用水槽１２であって、
前記底板２の両側端部にそれぞれアールを設けるとともに、
前記一方の短側板６の上部に、循環されてきた水を外部に排出するための略矩形状の第１の排水口１４を設け、かつこの略矩形状の第１の排水口１４は、前記短側板６の幅方向中央より前記長側板１０側に近接して配置されるとともに、この略矩形状の第１の排水口１４は格子１４ａなどで小さく分割され、かつこの略矩形状の前記長側板１０側に位置する下方角部が前記長側板８側の下方角部に比べて下方に傾斜して形成されていることを特徴としている。
【０００７】
係る構成による本発明によれば、水槽本体１２ａの上方から短側板４と略平行に水が供給されてくると、その水は、勢い良く水槽の底板近くまで送られるとともに底面近傍でその流れが変化され、今度は水槽底板に沿って水平方向に流される。その後、アールにより流れ方向が再び上方に変えられる。よって、水槽内に導入されてきた水の流れを、水槽の深い位置に形成することができる。
【０００８】
また、特に、底板２の近くから上方に向かって水が流れてくるときに、内部に餌の食べ残し、あるいは糞などが滞留されていたとしても、それらは水の流れとともに拡散されて、第１の排水口１４から外部に排出される。したがって、水を効率良く交換することができるとともに、餌の食べ残しや糞などを排出することができる。また、外部に排出される水は、第１の排水口１４が片側に傾斜して形成されているので、その水は長側板１０に沿って下方に流出する。
【０００９】
したがって、オーバフローした水を排水している最中であっても、短側板６の主面に、水が伝わり難いので、水槽内部の観察が邪魔されることはない。なお、第１の排水口１４は、全体が矩形状に形成されているが、この内部の開口が格子１４ａなどにより、小さく分割されている。この格子の大きさは、飼育する魚の大きさなどにより適宜設定されることが好ましい。
【００１０】
ここで、前記短側壁６に、前記第１の排水口１４よりも目の細かい第２の排水口１８を設けることが好ましい。
また、この第２の排水口１８は、スポンジにより構成されていることが好ましい。
さらに、この第２の排水口１８は、前記第１の排水口１４よりも低い位置に形成されていることが好ましい。
【００１１】
このような構成であれば、第１の排水口１４よりも先に、第２の排水口１８から水を排出することができるので、水の流れに乗ってメダカなどの稚魚が流されてきたとしても、それらの稚魚を外部に流してしまうことはない。そして、この第２の排水口１８が目詰りした場合は、若干水位が上昇するが、上方の第１の排水口１４から、餌の食べかす、糞などを外部に排出することができる。
【００１２】
ここで、前記第１の排水口１４を設けた短側板６と対向する他方の短側板４の上方部に、第３の排水口２０を設けることもできる。
このように、第３の排水口２０を他方側に設ければ、この第３の排水口２０から水を外部に排出することができる。また、この第３の排水口２０を他方側に形成すれば、この水槽本体１２を持ち上げて、例えば他の場所に動かす場合などに、第３の排水口２０から水をこぼすことができる。よって、水槽を軽くして持ち上げることができるとともに、作業者の手元側に水がこぼれて衣服などを汚すことを防止することができる。
【００１３】
また、本発明に係る魚類等飼育装置は、上記の飼育用水槽１２を載置した、棚状に構成された装置筐体３４の各段に、循環ポンプ３６に接続された第１の主給水管２４を配管するとともに、この第１の主給水管２４から第２の主給水管２５を分岐して配管し、さらに、この第２の主給水管２５に接続されたノズル２２を介して、前記飼育用水槽１２内に前記循環ポンプ３６から水を給水し、かつこの給水により前記飼育用水槽１２からオーバフローした水を、ろ過槽５０内に導いて、このろ過槽５０でろ過した水を、前記循環ポンプ３６により再び供給するようにしたことを特徴とする。
【００１４】
このような構成の魚類等飼育装置によれば、少ない給水により多数の水槽に水を送ることができるとともに、オーバフローした水を効率的に使用することができるので、経費節減に寄与する。
さらに、本発明に係る飼育用水槽における水供給装置は、棚状に構成された装置筐体３４の各段に配置された飼育用水槽１２内に、ノズル２２を介して水を給水するにあたり、
前記ノズル２２の吐出側端部２２ｃを、飼育用水槽１２の短側板４側であって当該短側板４の長さ方向略中央の上方に配置したことを特徴としている。
【００１５】
係る構成による水供給装置によれば、配管が水槽本体１２ａの出し入れに邪魔になることはない。
また、本発明に係る魚類等飼育装置は、前記ノズル２２の前記第２の主給水管２５に接続される側の基端側端部２２ａを斜めに切除し、この斜めに切除された開口端面２２ｂを、前記第２の主給水管２５内において水の流れ方向下流側に配置したことを特徴としている。
【００１６】
このような構成の水供給装置によれば、第２の主給水管２５からノズル２２に水を分岐して引き出す場合に、配管抵抗の影響を少なくすることができる。したがって、多数の水槽本体に水を補給する場合に、どの位置の水槽であっても、略一定の水を供給することができる。
さらに、前記ノズル２２の基端側端部２２ａの内径は、吐出側端部２２ｃの内径に比べて大きく形成されていることが好ましい。
【００１７】
このような構成であれば、水槽内に少量づつ水を補給することができる。
【００１８】
【発明の実施の形態】
以下、図面を参照しながら本発明の実施例について説明する。
図１は本発明の一実施例に係る飼育用水槽を示す斜視図である。
この飼育用水槽１２の水槽本体１２ａは、透明なガラス、またはスチロールあるいはポリカーボネートなどの合成樹脂から形成されている。この水槽本体1２ａは、略矩形状の底板２と対向する一対の短側板４，６と、同じく対向する一対の長側板８，１０とにより、一方面が開口した略直方体形状に形成されている。そして、このような水槽本体１２ａには、通常、合成樹脂あるいはガラスなどの蓋部材が着脱自在に装着されて使用される。
【００１９】
水槽本体１２ａにおける底板２の両端部は、角部が湾曲して形成されている。このような両端部のアールＲは、型成形上形成されるものと比べて大きな曲率半径を有している。このようなＲを両端部底面に設けることにより、後述する第２の主給水管２５に接続されたノズル２２を介して、水槽本体１２ａ内に供給された水の流れは、水槽本体１２ａに対して、最初は上方から下方向に、次は底面近くのＲで屈曲されて水平方向に、その後、再び反対側のＲで屈曲されて上方向となる。すなわち、あたかも水槽本体１２ａ内を底部から攪拌するように流れることになる。
【００２０】
一方、短側板６の上部には、図２の側面図にも示したように、水を外部に排出するための、第１の排水口１４が形成されている。この第１の排水口１４は、樹脂などから枠状に形成されている。そして、この枠状の部材は、正面視において略長方形状であるものの、図２に示したように、短側板６に対し時計方向に若干、傾斜した姿勢で開口内に組み込まれている。さらに、この第１の排水口１４は、短側板６の幅方向中央ではなく、長側板１０に近接して形成されている。
【００２１】
このように形成された第１の排水口１４は、より具体的には図３に示したように、水槽本体１２ａの内面側ではなく外面側に埋め込まれている。これにより、第１の排水口１４に、魚などが近寄ってきたとしても、魚に損傷を与えるようなことはない。
一方、第２の主給水管２５に接続されたノズル２２から水が補給されることにより、水槽本体１２ａ内でオーバフローした水は、図２および図３に矢印で示したように排出される。したがって、水槽本体１２ａからオーバフローした水は、短側板６の中央側を通るのではなく、短側板６の右端部側を通って流れるようになる。これにより、短側板６側から内部を観察している研究者などの視界が水により邪魔されることは少ない。
【００２２】
また、短側板６には、この第１の排水口１４よりも若干低い位置に、第２の排水口１８が形成されている。この第２の排水口１８は、水槽本体１２ａの側面に丸穴などを設け、この丸穴に少し大きめのスポンジなどを嵌め込んで構成されたものである。
すなわち、水の流れる開口はスポンジによる細かな孔である。このように、スポンジからなる第２の排水口１８を設けることにより、例えば、５０μ程度の極小さい稚魚を飼育している場合に、第２の排水口１８から飼育水だけを排水することができる。したがって、稚魚が流れ出てしまうことを防止することができる。
【００２３】
このように、第１の排水口１４と、これより小径の第２の排水口１８とを備えた水槽本体１２ａでは、給水によりオーバフローした水は、最初にこの第２の排水口１８を介して排出することができる。したがって、目の細かい第２の排水口１８を水槽本体１２ａの低い位置に設ければ、水の流れとともに水面近くに流されてきた稚魚などを外部に流してしまうことを防止できる。
【００２４】
一方、本実施例の水槽本体１２ａでは、反対側の短側板４の上部に、第３の排水口２０が設けられている。
この第３の排水口２０は、前記第１の排水口１４と略同様に形成されている。しかしながら、この第３の排水口２０は、第１の排水口１４のように、傾斜させる必要はないが、短側板４側からも観察することがある場合は、第１の排水口１４のように、傾斜させることが好ましい。また、第３の排水口２０を設ける高さは、第１の排水口１４と略等しい高さか、これよりも、若干低い位置に設定されることが好ましい。
【００２５】
このような第３の排水口２０を、短側板６から見て反対側に予め設けておけば、例えば、作業者が、水の入った水槽本体１２ａを短側板６側から手で持って他の場所に運ぶ場合などに、手で掴んだ後、水槽本体１２ａを先方に差し出すかのように先方を低くすれば、内部の水をこの第３の排水口２０から排水することができる。しかも、この場合に、排水した水が作業者などに振りかかることを防止できる。したがって、水槽本体１２ａを軽くしてから持ち運ぶことができる。
【００２６】
本実施例による飼育用水槽１２は、上記のように構成されているが、以下にその作用について説明する。
先ず、飼育用水槽１２は、単独で使用することもできるが、通常は、図４に示したように、棚状に形成された魚類等飼育装置４０に集合的に並べて使用される。
【００２７】
この魚類等飼育装置４０は、断面略Ｌ字状のアングル材３０および複数枚の棚板３２などから構成されたもので、下方に循環ポンプ３６と、ろ過槽５０とを有している。そして、循環ポンプ３６に接続された上下方向の主給水管２４は、装置筐体３４の一側面に沿って配管されている。また、この上下方向に配管された主給水管２４には、エルボ４２、チーズ４４などの継手部材により水平方向に第２の主給水管２５が分岐されている。そして、第２の主給水管２５の基端側には、ユニオン４６が接続され、端末はキャップ４８で閉塞されている。
【００２８】
また、このようにユニオン４６とキャップ４８とで水平方向に延出された第２の主給水管２５には、多数のノズル２２が略下方に向けて接続されている。このノズル２２は、図５に示したように、単独で構成されていてもよく、あるいはその先端にゴムホース５６などが取り付けられていても良い。
このような魚類等飼育装置４０では、各ユニオン４６を緩めることにより、水平方向の第２の主給水管２５を回動させることが可能であるとともに、これに伴ってノズル２２の吐出側端部２２ｃの傾斜角度を調整することが可能にされている。
【００２９】
一方、装置筐体３４の各棚板３２では、ドレンパンなどが具備され、このドレンパンによりオーバフローした水が集合的に集められ、その後、上下方向のトイを介して下方の集水ボックス４９に集められ、集合ボックス４９からろ過槽５０内に戻されている。このように、オーバフローした水は、ろ過槽５０内でろ過された後、再び使用される。
【００３０】
なお、図４において、符号５１は、紫外線などからなる殺菌灯を示している。ろ過槽５０に集められた水は、図示しないフィルタでろ過され、その後、循環ポンプ３６により殺菌灯５１などからなる殺菌装置に供給され、第１の主給水管２４とろ過槽５０にバイパスされる。このように、殺菌装置で殺菌された水は、飼育用水槽１２に直接送られるとともに、一部ろ過槽５０内に戻される。
【００３１】
また、ろ過槽５０内にはヒータ５６が挿入されている。このヒータ５６は、図示しない温度コントローラにより調整することが可能で、このヒータ５６により、ろ過槽５０内の温度が設定温度に調整されるようになっている。
このように、魚類等飼育装置４０では、先ず、ろ過槽５０内に一時的に貯留されていた水が加温された後、循環ポンプ３６により、上下方向の第１の主給水管２４に供給され、その後第１の主給水管２４から各段の水平方向の第２の主給水管２５に供給される。そして、水平方向の第２の主給水管２５に接続されたノズル２２を介して各飼育用水槽１２に水が供給される。なお、飼育用水槽１２は、第１の排水口１４側を設けた短側板６側が観察者に向けられて配置される。水槽１２をこのように短側板６側を観察者に向ければ、観察者は、一度に多数の水槽１２を観察することができる。
【００３２】
そして、循環ポンプ３６の作動により、給水が行われる。すると、各飼育用水槽１２では、図１に示したように、第２の主給水管２５からノズル２２を介して水槽本体１２ａ内に水が連続して供給される。その水は、下方向に勢い良く流れて底板２の深くに達するとともに、底面近くのア−ルで流れが変えられ、今度は、水平方向に流れる。その後底板２の近くを流れた後、アールにより上方に流れが変えられる。そして、水面近くに供給された水の流れは、第２の排水口１８または第１の排水口１４からオーバフローして外部に排水される。このとき、水槽本体１２ａ内を流れる水は、餌の食べ残しあるいは糞などを伴って、外部に排出される。そして、外部に排出された水は、その後、各段のドレンパンなどからろ過槽５０に集められる。そして、このろ過槽５０でろ過された後、循環ポンプ３６を介して再び給水用に使用される。
【００３３】
本実施例による魚類等飼育装置４０は、上記のように構成されているが、以下に、この第１の主給水管２４から分岐された第２の主給水管２５と、ノズル２２との接続について説明する。
図５は第２の主給水管２５とノズル２２との接続部の構造を拡大して示した断面図である。
【００３４】
先ず、ノズル２２は、金属から形成され、基端側端部２２ａの内径が吐出側端部２２ｃの内径よりも太く形成されている。そして、吐出側端部２２ｃには、必要に応じて、ゴムホース５６などが接続される。
一方、このようなノズル２２は、図５に示したように、第２の主給水管２５内に差し込まれた基端側端部２２ａの先端が、斜めに切除されている。そして、この斜めに切除された基端側端部２２ｃの開口端面２２ｂは、矢印で示した水の流れ方向に向けて配置されている。したがって、仮にこの第２の主給水管２５内の水の流れが速い場合、あるいは、遅い場合であっても、ノズル２２に対する配管抵抗をより一定にすることができる。また、図６に示したように、ノズル２２を第２の主給水管２５に対し、上方向に例えば４５°傾斜させ、その先端部にホース５６を接続し、このホース５６により、水槽１２に給水するようにすれば、より一定量の飼育水を供給することができる。
【００３５】
このようにノズル２２の先端部に可撓性のホース５６を接続すれば、ホース５６の先端部が、仮に水槽本体１２ａの水面下に差し込まれたとしても、水槽本体１２ａを持ち上げた場合などの破損を防止することができる。
しかしながら、可撓性のホース５６を用いた場合であっても、通常は、水槽本体１２ａの上部に設置することが好ましい。
【００３６】
このように、水の吐出口（ノズル２２の吐出側端部２２ｃ）を水面よりも高い位置に配置すれば、給水中の水の滴下を作業者が観察することができる。したがって、魚類などを飼育する上で好ましい。
このように、本実施例による飼育装置４０を用いて、多数の水槽１２に水の給水を行うようにすれば、少量の水を用いて水を供給することができ、また自動的に循環させることができる。したがって、面倒な手作業による水代えを行なう必要がない。
【００３７】
このような飼育用水槽１２あるいは魚類等飼育装置４０により、ゼブラフィッシュ、メダカなど、比較的小型の魚類を好ましく飼育することができる。しかしながら、本発明はこれに限定されず、水代えを必要とする様々な生物の飼育に適用することができる。
また、上記実施例では、ドレンパンを用いることにより、オーバフローした水を集水ボックス４９に戻すようにしているが、これに代え、例えば、図４における左側、すなわち、第１の主給水管２４が配管されていない側の側面に、上下方向に水を流すためのトイを設け、このトイを介して集水ボックス４９に水を戻しても良い。
【００３８】
また、上記実施例では、１つの棚板３２に横一列に飼育用水槽１２を配置したが、図７に示したように、１つの棚板３２に、２つの飼育用水槽１２を並べて配置することもできる。すなわち、図４における装置筐体３４の前面側と後面側に、それぞれ１つずつ水槽１２を配置することができる。この場合には、観察者は、装置筐体３４の前面あるいは後面の両方から、水槽を観察することになる。そして、この場合には、第２の主給水管２５を、図７に示したように、装置筐体３４の中央側に２本平行に配置すればよい。
【００３９】
また、水槽１２を配置する場合に、装置筐体３４の両端部（図４における左右方向の両端部）に、２本の水槽固定アングル５８，５８を差し渡し、これらの水槽固定アングル５８の角部を利用して水槽１２の位置決めを行うことができる。このように、水槽固定アングル５８を用いることにより、第２の主給水管２５から水槽１２までの距離Ａを常に一定にすることができる。また、このような固定アングル５８は、図４に示した魚類等飼育装置４０においても、同様に使用することができる。
【００４０】
さらに、このように水槽１２を２列に配置する場合は、棚板３２，３２を中央側に向って傾斜させ、傾斜された下端側の下方に横方向のトイ６０を配置することが好ましい。
このような棚板３２および横方向のトイ６０を配置すれば、オーバフローした水を棚板３２から水平方向のトイ６０に落下させ、その後、縦方向のトイ６２を介して集合ボックス４９に水を導くことができる。
【００４１】
【発明の効果】
以上、説明したように、本発明に係る飼育用水槽によれば、水槽本体内に供給されてくる水を、水槽本体の底面近くを流して循環させることができる。したがって、この水の流れとともに、餌の食べかす、糞などが舞い上がるので自動的に、かつ効果的に外部に排出することができる。さらに、酸素に富んだ新しい水を水槽内に供給することができる。
【００４２】
また、オーバフローした水は、第１の排水口または第２の排水口から排出することができる。しかも、稚魚を飼育している場合は、この第１の排水口よりも水位の低い第２の排水口から水を排出することができるので、外部に逃げてしまうことを防止することができる。
また、第１の排水口は、長側板側に傾斜して配置されていることから、オーバフローした水を片側に片寄らせて排出することができる。したがって、排水途中の水により、内部の観察が邪魔されることはない。
【００４３】
また、第３の排水口を反対側に設ければ、この水槽を持ち上げて、他の場所に移動させる場合などに、手間をかけずに簡単に排水し、内部の水を少なくすることができる。しかも、その場合に、排水した水が作業者に降りかかることがない。
【図面の簡単な説明】
【図１】図１は、本発明の一実施例に係る飼育用水槽と給水配管との位置関係を示す斜視図である。
【図２】図２は図１に示した飼育用水槽の右側面図である。
【図３】図３は図１に示した第１の排水口付近の断面図である。
【図４】図４は図１に示した飼育用水槽を使用した魚類等飼育装置の正面図である。
【図５】図５は図４に示した第２の主給水管とノズルとの接続部付近の断面図である。
【図６】図６は図５におけるVI−VI線方向の断面図である。
【図７】図７は本発明の他の実施例による魚類等飼育装置の要部を示す側面図である。
【符号の説明】
２        底板
４、６        短側板
８，１０      長側板
１２ａ        水槽本体
１２          飼育用水槽
１４          第１の排水口
１８          第２の排水口
２０          第３の排水口
２２          ノズル
２４          第１の主給水管
２５          第２の主給水管
２２ａ        基端側端部
２２ｂ        開口端面
２２ｃ        吐出側端部
３２          棚板
３４          装置筐体
３６          循環ポンプ
４０        魚類等飼育装置
５０        ろ過槽
Ｒ          アール
【図１】
0003689410.tif 000002
【図２】
0003689410.tif 000003
【図３】
0003689410.tif 000004
【図４】
0003689410.tif 000005
【図５】
0003689410.tif 000006
【図６】
0003689410.tif 000007
【図７】
0003689410.tif 000008